(57)【要約】【課題】本発明は、作成に手間がかからず、製造コストが安価で、かつ、引っ張り力に対して十分な強度を有する取付構造を備えたシート状物及びその形成方法を提供することを目的とする。【解決手段】本発明に係る取付構造を備えたシート状物Ａ１は、シート本体１０に補強シート２０を貼着したシート状物において、シート本体１０と補強シート２０との積層部に、補強シート２０と共にシート本体１０を貫通する切部３１、３２が形成され、当該切部３１、３２が取付構造をなすことを特徴とする。【選択図】  図４
2019074161.tif 000002
【特許請求の範囲】
【請求項１】
シート本体に補強シートを貼着したシート状物において、
シート本体と補強シートとの積層部に、補強シートと共にシート本体を貫通する切部が形成され、
当該切部が取付構造をなす
ことを特徴とする取付構造を備えたシート状物。
【請求項２】
前記切部が２箇所以上形成されている
ことを特徴とする請求項１に記載の取付構造を備えたシート状物。
【請求項３】
前記補強シートは、シート本体に貼着する側に粘着剤層を有する
ことを特徴とする請求項１又は２に記載の取付構造を備えたシート状物。
【請求項４】
前記粘着剤層に離型紙が貼付されている
ことを特徴とする請求項３に記載の取付構造を備えたシート状物。
【請求項５】
前記補強シートは、繊維を含んでいる
ことを特徴とする請求項１〜４のいずれか１項に記載の取付構造を備えたシート状物。
【請求項６】
前記補強シートは、合成樹脂製である
ことを特徴とする請求項１〜５のいずれか１項に記載の取付構造を備えたシート状物。
【請求項７】
前記補強シートは、シート本体に貼着する側の反対側の面が面ファスナーの雌側又は雄側よりなる
ことを特徴とする請求項１〜６のいずれか１項に記載の取付構造を備えたシート状物。
【請求項８】
請求項１〜７のいずれか１項に記載の取付構造を備えたシート状物により形成した
ことを特徴とするベルト通し構造。
【請求項９】
請求項１〜７のいずれか１項に記載の取付構造を備えたシート状物により形成した
ことを特徴とするフック結合構造。
【請求項１０】
シート本体に補強シートを貼着し、
当該補強シートを貼着したシート本体に対して、補強シートと共にシート本体を貫通する切部を形成する
ことを特徴とする取付構造を備えたシート状物の形成方法。
【請求項１１】
シート本体に補強シートを貼着し、
当該補強シートを貼着したシート本体を二つ折りにし、
二つ折りにした補強シートを貼着したシート本体に対して、補強シートと共にシート本体を貫通する切部を形成する
ことを特徴とする取付構造を備えたシート状物の形成方法。
【発明の詳細な説明】
【技術分野】
【０００１】
本発明は、取付構造を備えたシート状物及びその形成方法に関し、特にシートに対して簡単に取付構造を形成することができる取付構造を備えたシート状物及びその形成方法に関する。
【背景技術】
【０００２】
従来、シートに対して、例えばベルト等を通すための取付構造を形成する場合に、シートにベルト通しを縫着したり、シートに切り目を２箇所平行に入れ、この切り目にベルトを挿通させる方法が用いられていた。
【発明の概要】
【発明が解決しようとする課題】
【０００３】
しかしながら、上記のベルト通しを縫着することは手間と熟練を要する。
【０００４】
また、上記のシートに切り目を形成してベルト通しを形成する方法では、この切り目にベルト等による引っ張り力が働くと、この切り目からシートが裂け広がってしまうので、ベルト通しとしては相応しくなかった。もちろん十分な強度を有する厚みのあるシートを使用すれば、これに前記のベルト通しを形成しても裂け広がるおそれは少なくなるが、そのためだけに厚みのあるシートを採用することは不経済であり、コスト高となる。
【０００５】
そこで、本発明者は、作成に手間がかからず、製造コストが安価で、かつ、引っ張り力に対して十分な強度を有する取付構造を備えたシート状物及びその形成方法を発明した。
【課題を解決するための手段】
【０００６】
本発明の請求項１に係る取付構造を備えたシート状物は、シート本体に補強シートを貼着したシート状物において、シート本体と補強シートとの積層部に、補強シートと共にシート本体を貫通する切部が形成され、当該切部が取付構造をなすことを特徴とする。
【０００７】
本発明の請求項２に係る取付構造を備えたシート状物は、前記請求項１に記載の構成に加えて、前記切部が２箇所以上形成されていることを特徴とする。
【０００８】
本発明の請求項３に係る取付構造を備えたシート状物は、前記請求項１又は２に記載の構成に加えて、前記補強シートは、シート本体に貼着する側に粘着剤層を有することを特徴とする。
【０００９】
本発明の請求項４に係る取付構造を備えたシート状物は、前記請求項３に記載の構成に加えて、前記粘着剤層に離型紙が貼付されていることを特徴とする。
【００１０】
本発明の請求項５に係る取付構造を備えたシート状物は、前記請求項１〜４のいずれか１項に記載の構成に加えて、前記補強シートは、繊維を含んでいることを特徴とする。
【００１１】
本発明の請求項６に係る取付構造を備えたシート状物は、前記請求項１〜５のいずれか１項に記載の構成に加えて、前記補強シートは、合成樹脂製であることを特徴とする。
【００１２】
本発明の請求項７に係る取付構造を備えたシート状物は、前記請求項１〜６のいずれか１項に記載の構成に加えて、前記補強シートは、シート本体に貼着する側の反対側の面が面ファスナーの雌側又は雄側よりなることを特徴とする。
【００１３】
本発明の請求項８に係るベルト通し構造は、請求項１〜７のいずれか１項に記載の取付構造を備えたシート状物により形成したことを特徴とする。
【００１４】
本発明の請求項９に係るフック結合構造は、請求項１〜７のいずれか１項に記載の取付構造を備えたシート状物により形成したことを特徴とする。
【００１５】
本発明の請求項１０に係る取付構造を備えたシート状物の形成方法は、シート本体に補強シートを貼着し、当該補強シートを貼着したシート本体に対して、補強シートと共にシート本体を貫通する切部を形成し、当該切部を取付構造とすることを特徴とする。
【００１６】
本発明の請求項１１に係る取付構造を備えたシート状物の形成方法は、シート本体に補強シートを貼着し、当該補強シートを貼着したシート本体を二つ折りにし、二つ折りにした補強シートを貼着したシート本体に対して、補強シートと共にシート本体を貫通する切部を形成し、当該切部を取付構造とすることを特徴とする。
【発明の効果】
【００１７】
本発明に係る取付構造を備えたシート状物は、構造が簡単でその形成も容易であり、かつ、補強シートと共にシート本体を貫通する切部を取付構造としているため、引っ張り力に対して十分な強度があり、この強度がある取付構造をベルト通し、フック結合具、その他紐の結着箇所として使用しても、シート状物が裂け広がるようなことがない。
【図面の簡単な説明】
【００１８】
【図１】本発明に係る取付構造を備えたシート状物の実施例１であって、シート本体に補強シートを貼着する状態を示す概略斜視図である。
【図２】実施例１における補強シートを貼着したシート状物の概略斜視図である。
【図３】実施例１における補強シートを貼着したシート状物を二つ折りにして切部を形成した状態を示す概略斜視図である。
【図４】図３の切部を形成したシート状物を広げてベルトを通した状態を示す概略斜視図である。
【図５】図４におけるａ−ａ線断面図である。
【図６】実施例１におけるシート状物の切部を利用してフックを結合した状態を示す概略斜視図である。
【図７】実施例１における補強シートの断面図である。
【図８】本発明に係る取付構造を備えたシート状物の実施例２を示す断面図である。
【図９】本発明に係る取付構造を備えたシート状物の実施例３の使用状態を示す斜視図である。
【図１０】本発明に係る取付構造を備えたシート状物の実施例４の使用状態を示す斜視図である。
【発明を実施するための形態】
【００１９】
本発明の好適な実施例を添付の図面に従って詳細に説明する。
【実施例１】
【００２０】
図１〜図７は実施例１を示し、図１において、１０はシート本体であり、２０は補強シートである。図１は、シート本体１０に、矢符ａで示すように、補強シート２０を貼着しようとする状態を示し、図２は、シート本体１０に補強シート２０を貼着した状態を示す。
【００２１】
図３は、図２に示す補強シート２０を貼着したシート本体１０をｂ−ｂ線で二つ折りにし、補強シート２０と共にシート本体１０を貫通する切部３１、３２を形成したシート状物Ａ１を示す。すなわち、シート状物Ａ１は、シート本体１０と補強シート２０との積層部に、補強シート２０と共にシート本体１０を貫通する切部３１、３２を形成し、当該切部３１、３２を取付構造としたものである。
【００２２】
図４は、図３に示すシート状物Ａ１を二つ折りの状態から開いた状態に変形し、切部３１、３２にベルトＢを挿通した状態を示している。すなわち、ベルトＢは、これを切部３１から補強シート２０及びシート本体１０を貫通させてシート状物Ａ１の裏面側へ挿通させ、そして、シート本体１０の裏面側から切部３２を利用してシート本体１０及び補強シート２０を貫通させてシート状物Ａ１の表面側に挿通させることにより、シート状物Ａ１にベルトＢを挿通したことになる。図５は、図４のｃ−ｃ線断面図である。
【００２３】
このように、ベルトＢは、積層した補強シート２０及びシート本体１０を貫通しているので、シート状物Ａ１がベルトＢによる引っ張り力を受けても、切部３１の端部３１ａ、３１ｂ及び切部３２の端部３２ａ、３２ｂが裂け広がることがなく、この切部３１、３２は、ベルトＢに対して強度を有する取付構造、すなわち強度があるベルト通し構造となり、取付構造を備えたシート状物Ａ１となる。
【００２４】
図６は、実施例１のシート状物Ａ１の別の使用状態を示す図である。図６では、図４におけるシート状物Ａ１のベルトＢが挿通される前の状態において、切部３１と切部３２とが表裏に重なるようにｃ−ｃ線で二つ折りにし、この切部３１と切部３２との双方にフック状連結具Ｃのフック部Ｃ１を貫通させたものである。
【００２５】
このように、フック状連結具Ｃは、そのフック部Ｃ１を切部３１と切部３２との双方に貫通させると、この切部３１と切部３２とが補強シート２０を貼着したシート本体１０の積層体をさらに２枚重ねにしたものであるから、シート状物Ａ１がフック状連結具Ｃによる引っ張り力を受けても、切部３１の端部３１ａ、３１ｂ及び切部３２の端部３２ａ、３２ｂが裂け広がることがなく、この切部３１、３２は、フック状連結具Ｃに対して強度を有する取付構造となり、取付構造を備えたシート状物Ａ１となる。
【００２６】
図７は、補強シート２０の断面図であり、補強シート２０は、合成樹脂製シート２１と、その裏面側のシート本体１０と貼着する粘着剤層２２と、離型紙２３とからなるものである。
【００２７】
なお、本実施例における補強シート２０は、上記のように合成樹脂製シート２１と、その裏面側のシート本体１０と貼着する粘着剤層２２と、離型紙２３とからなるものに限られるものではなく、巻回状の粘着テープを適宜の大きさに切り取って使用してもよく、その場合には離型紙は不要となる。
【実施例２】
【００２８】
本実施例は、実施例１のシート状物Ａ１における補強シート２０の変更例である。
【００２９】
本実施例のシート状物における補強シート１２０は、図８の断面図に示すように、合成樹脂シートの表面側に面ファスナーの雌側すなわちループ側を有する面ファスナーシート１２１よりなり、その裏面側は、シート本体１０と貼着する粘着剤層２２と離型紙２３とからなるものである。もちろん、面ファスナーの雄側すなわちフック側を使用してもよいが、雌側の方が肌触りが良い点で好適である。
【００３０】
本実施例の補強シート１２０は、その表面側を強度及び耐久性がある面ファスナーの雌側である表面にループを有する面ファスナーシート１２１により構成したことにより、シート状物における切部に強度及び耐久性が付与される。
【実施例３】
【００３１】
本実施例は、実施例１のシート状物Ａ１における補強シート２０及び切部３１，３２の変更例である。
【００３２】
図９に示すように、本実施例のシート状物Ａ３における補強シート２２０は、織物を含んだ布粘着テープを使用したものである。また、本実施例における切部２３１，２３２は、補強シート２２０をシート本体１０に貼着した後、積層された補強シート２２０及びシート本体１０を共に円形に切り抜いた２箇所の切欠より構成される。
【００３３】
もちろん、補強シート２２０は織物を含んだ布粘着テープに限られるものではなく、破断に対するテープの補強として繊維を含んだものであればよい。また、切部は２箇所に限られるものではなく、用途に合わせて適宜の個数の切部を形成してもよい。
【００３４】
そして、シート状物Ａ３は、その切部２３１，２３２に対して、図９の使用例に示すように、２重巻連結リングＤを、切部２３１，２３２を掛け渡すように貫通させて使用する。
【００３５】
このように、２重巻連結リングＤは、切部２３１，２３２を掛け渡すように貫通しているので、シート状物Ａ３が２重巻連結リングＤによる引っ張り力を受けても、切部２３１，２３２が裂け広がることがなく、この切部２３１，２３２は、２重巻連結リングＤに対して強度を有する取付構造を備えたシート状物Ａ３となる。
【実施例４】
【００３６】
本実施例は、実施例１のシート状物Ａ１における補強シート２０及び切部３１，３２の変更例である。
【００３７】
図１０に示すように、本実施例のシート状物Ａ４における補強シートは、実施例２において使用した補強用シート１２０と同様の構成のものであって、表面側は面ファスナーの雌側すなわちループ側の面ファスナーシート１２１よりなるものである。
【００３８】
また、本実施例における切部３３０は、補強シート１２０をシート本体１０に貼着した後、積層された補強シート１２０及びシート本体１０を共に長円状に切り抜いた切欠より構成される。
【００３９】
そして、シート状物Ａ４は、その切部３３０に対して、図１０の使用例に示すように、カラビナＥのゲート部Ｅ１を開き、ノーズ部Ｅ２を切部３３０に挿通させてゲート部Ｅ１を閉じることにより、カラビナＥはシート状物Ａ４に取り付けられる。
【００４０】
このように、カラビナＥは、切部３３０に掛けられているので、シート状物Ａ４がカラビナＥによる引っ張り力を受けても、切部３３０が裂け広がることがなく、この切部３３０は、カラビナＥに対して強度を有する取付構造を備えたシート状物Ａ４となる。
【００４１】
上記の実施例１〜４係る取付構造を備えたシート状物Ａ１、Ａ３、Ａ４は、いずれも構造が簡単でその形成も容易であり、かつ、補強シート２０、１２０、２２０と共にシート本体１０を貫通する切部３１、３２、２３１、２３２、３３０を取付構造としているため、引っ張り力に対して十分な強度があり、この強度がある取付構造をベルト通し、フック結合具、その他紐の結着箇所として使用しても、シート状物が裂け広がるようなことがない。
【００４２】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４３】
Ａ１……シート状物
Ｂ………ベルト
Ｃ………フック状連結具
Ｃ１……フック部
１０……シート本体
２０……補強シート
２１……合成樹脂製シート
２２……粘着剤層
２３……離型紙
３１……切部
３１ａ…切部の端部
３１ｂ…切部の端部
３２……切部
３２ａ…切部の端部
３２ｂ…切部の端部
１２０…補強シート
１２１…面ファスナーの雌側すなわちループ側
Ａ３……シート状物
２２０…補強シート
２３１…円形に切り抜いた切部
２３２…円形に切り抜いた切部
Ｄ………２重巻連結リング
Ａ４……シート状物
３３０…長円状の切部
Ｅ………カラビナ
Ｅ１……カラビナのゲート部
Ｅ２……カラビナのノーズ部
【図１】
2019074161.tif 000003
【図２】
2019074161.tif 000004
【図３】
2019074161.tif 000005
【図４】
2019074161.tif 000006
【図５】
2019074161.tif 000007
【図６】
2019074161.tif 000008
【図７】
2019074161.tif 000009
【図８】
2019074161.tif 000010
【図９】
2019074161.tif 000011
【図１０】
2019074161.tif 000012